(57)【特許請求の範囲】
【請求項１】
ノズルを備え容器との取付側に給液口を設けた支持栓に、給液口を開閉するための弁壁とノズルに連通させるための注出孔を形成した回動栓を密嵌させ、回動栓を回動させて弁壁が給液口を開口すると共に注出孔とノズルとを連通させて容器内の液体を注出するようにした二重弁式液体注出栓において、回動栓を閉栓位置から正逆方向への回動を可能にして密嵌し、各回動方向上で大きさを異にした注出孔を回動栓に形成した二重弁式液体注出栓。
【請求項２】
ノズルを備え容器との取付側に給液口を設けた支持栓に、給液口を開閉するための弁壁とノズルと連通させるための注出孔を形成した回動栓を密嵌させ、回動栓を回動させて弁壁が給液口を開口すると共に注出孔とノズルとを連通させて容器内の液体を注出するようにした二重弁式液体注出栓において、回動栓を閉栓位置から正逆方向への回動を可能にして密嵌し、各回動方向上で二つの注出孔を回動栓に形成し、各注出孔がノズルと連通する際の弁壁による給液口の開口面積を異ならせるようにした二重弁式液体注出栓。
【請求項３】
二つの注出孔が大きさを異にしている請求項２に記載の二重弁式液体注出栓。
【請求項４】
注出孔を回動栓の回動方向に沿わせた長孔で構成し、回動栓が支持栓の給液口を閉塞した後で注出孔が支持栓の筒壁で閉塞されるようにした請求項１、２又は３に記載の二重弁式液体注出栓。
【請求項５】
回動栓に屈曲部を介してノズルの開口部を閉塞する蓋を突設した請求項１〜４のいずれかに記載の二重弁式液体注出栓。
【発明の詳細な説明】
【０００１】
【技術分野】
本発明は、ノズルを備え容器との取付側に給液口を設けた支持栓に、給液口を開閉するための弁壁とノズルに連通させるための注出孔を形成した回動栓を密嵌させ、回動栓を回動させて弁壁が給液口を開口すると共に注出孔とノズルとを連通させることによって容器内の液体を注出するようにした二重弁式液体注出栓に関するものである。
【０００２】
【従来技術とその問題点】
この種の二重弁式液体注出栓としては、特開平8-295398号公報に開示のものが知られている。
この注出栓は、ノズルを突設させると共に容器側に開口を反対側に空気孔を形成した栓本体に、第一透孔と第二透孔とを90度変移させて筒壁に形成した回動筒を回動可能に嵌合させ、閉栓時に空気孔と第二透孔とが連通した状態から回動筒を90度回動させ、容器側の開口と第一透孔が、ノズルと第二透孔とがそれぞれ連通し、容器内の液体を注出できるようにしている。注出後回動筒を逆方向に回動させて閉栓すると、空気孔と第二透孔とが連通して回動栓内に滞留している液体を容易にノズルから排除できるようになっている。
しかしながらこの構成では、栓本体に三つの孔が形成されているために、回動筒を中途半端の位置で停止させると空気孔から液体が噴出する恐れがあるため、注出しようとする液量の調整が困難となり、この構成の注出栓では液量の選択が行えない不都合がある。
【０００３】
【技術的課題】
本発明は、ノズルを備え容器との取付側に給液口を設けた支持栓に、給液口を開閉するための弁壁とノズルに連通させるための注出孔を形成した回動栓を密嵌させ、回動栓を回動させて弁壁が給液口を開口すると共に注出孔とノズルとを連通させて容器内の液体を注出するようにした二重弁式液体注出栓において、ワンタッチで異なる液量の注出を選択できることを課題としたものである。
【０００４】
【技術的手段】
この技術的課題を解決するための第一の技術的手段は、（イ）回動栓を閉栓位置から正逆方向への回動を可能にして密嵌し、（ロ）各回動方向上で大きさを異にした注出孔を回動栓に形成したこと、である。
第二の技術的手段は、（ハ）回動栓を閉栓位置から正逆方向への回動を可能にして密嵌し、（ニ）各回動方向上で二つの注出孔を回動栓に形成し、（ホ）各注出孔がノズルと連通する際の弁壁による給液口の開口面積を異ならせるようにしたこと、である。
【０００５】
第一の技術的手段では、支持栓に密嵌させられている回動栓は、閉栓位置から正逆方向への回動が可能になっていて、回動栓にはその回動方向上で大きさを異にする注出孔が形成されており、回動栓の回動方向を選択することによって、異なる大きさの注出孔をノズルに連通させることができる。給液口から同じ量の液体が給液されても、注出孔の大きさが相違することによってノズルから注出させる液量が相違することになる。したがって、回動栓の回動方向を選択するだけで、ワンタッチで異なる液量の注出を選択することができる。
【０００６】
第二の技術的手段においても、支持栓に密嵌させられている回動栓は、閉栓位置から正逆方向への回動を可能にしている。回動線の各回動方向上に形成されている二つの注出孔の大きさは異ならないが、各注出孔がノズルと連通する際の弁壁による給液口の開口面積が相違しているため、給液口から注出栓へ供給される液量が相違することになる。したがって、回動栓の回動方向を選択するだけで、ワンタッチで液量の大小を選択することができる。
この場合、給液口の開口面積に対応させて二つの注出孔の大きさを相違させておくと、ノズルからの液体の注出量に対応させて注出栓内へ給液させることができる（請求項３参照）。
【０００７】
第一乃至三の技術的手段における注出栓において、注出孔を回動栓の回動方向に沿わせた長孔で構成し、開栓状態から閉栓状態に至る際に回動栓の弁壁が支持栓の給液口を閉塞した後で注出孔が支持栓の筒壁で閉塞されるように構成すると、閉栓途中において容器から注出栓への給液が停止されても、いまだ注出孔がノズルと連通している。そのため、注出栓内の液体を継続してノズルから注出させることができ、注出栓内に液体を滞留するのを極力防止することができる。
【０００８】
いずれかの注出孔を使用して液体をノズルから注出した際に若干の液体が回動栓内に滞留しても、液体は注出孔間において側壁が受けるため、注出孔から漏れ出すおそれはなく、しかも次回にいずれかの注出孔を使用して液体を注出する際に滞留していた液体が注出されてしまうことになる。したがって、同じ液体が回動栓内に滞留することもない。
【０００９】
【本発明の効果】
回動栓の回動方向を選択してワンタッチで液量の大小を選択できるため、注出させた液体を受ける容器に対応させることができ、ビンやペットボトル等のように大きい容器には大きい液量によって迅速に充填させ、コップ等のように小さい容器には小さい液量でゆっくりと注出することができる利点がある。
また、この構成の注出栓においては、閉栓時に容器側とノズル側の二カ所において弁機能が発揮され、容器側の弁が液体の水圧を受けてノズル側の弁が水圧から開放されるため、注出栓全体として十分なシール効果を発揮させることができる。
【００１０】
【実施の形態】
図１は、密嵌させる前における支持栓２と回動栓１２の左側面図を示したものである。
図１、４及び５に示したように、袋容器２１に固定させた取付筒２２に取り付けた支持栓２は、下部においてノズル３を下向きに突出させ、上部には後述する回動栓１２を回動する際にその回動を安定して行わせるための支え片４を突出させている。
支持栓２の容器２１側には閉塞壁５を設け、その中央下部に容器と連通する扇型の給液口６が形成されている。支持栓２の内側にはその外側部に回動栓のリング状突起１７を嵌合させて支持栓２と回動栓１２とのシール状態を保つためのリング状凹溝７を設けている。
【００１１】
他方この実施形態では、回動栓１２は筒状の形態に構成してあって、その側壁の左右には左側に大きい面積の注出孔１８、右側には小さい面積の注出孔１９を対向状に穿設している。回動栓１２の外側は閉塞してあって、その外側に回動操作をするための摘み１５を突設している。
回動栓１２の容器２１側の先端部には給液口６を開閉するための弁壁１６が形成してあって、回動栓１２を支持栓２内に密嵌させた状態ではこの弁壁１６が閉塞壁５に密接して給液口６をシールできるようになっている。
この弁壁１６は、回動栓１２の容器側の先端部の下部を略四分の一の円弧の右側（図３の背面図では左側）の中央部に膨出部１６ａを突出させた形状となっている。
図１の状態において、回動栓１２を矢印方向に移動させて支持栓２内に密嵌させると、リング状突起１７が支持栓２の凹溝７内に嵌合され、注出孔１８、１９は支持栓２の筒壁によって閉塞され、給液口６は弁壁１６によって閉塞される。
【００１２】
回動栓１２の外側上部には突起１１が設けてあり、他方、支持栓２の外側縁部の上部及び左右に突起１１と係合するための受け部９ａ、９ｂ、９ｃを突出させている。突起１１は図１の状態で密嵌させると、受け部９ａに係合し、この状態で左右方向へ回動栓１２を回動させる際に僅かの抵抗を与え、注出栓１が閉栓状態にあることを知ることができるようにしている。
この状態から回動栓１２を反時計方向に90度回動させると、注出孔１８がノズル３と連通すると共に突起が受け部９ｂに到達し、この受け部９ｂがストッパーとして機能し、回動栓１２はそれ以上回動することはない。反対に時計方向に90度回動させると、注出孔１９がノズル３と連通すると共に突起が受け部９ｃに到達し、この受け部９ｃがストッパーとして機能し、回動栓１２はそれ以上回動することはない。いずれもその状態で注出孔とノズル３との連通状態を固定させることができる。
【００１３】
注出孔１８、１９が水平に対向している状態では、弁壁１６は給液口６全体を閉塞するが、回動栓１２を反時計方向に回動させると大きい注出孔１８がノズル３と連通した段階で弁壁１６が給液口６を開口して容器２１内の液体２０をノズル３から注出させる（図４参照）。
回動栓１２を時計方向に回動させて小さい注出孔１９がノズル３と連通した段階では、弁壁の膨出部１６ａが給液口６の上部を遮蔽したままとなり、注出孔１８を使用する場合に比べて給液口６の開口面積が小さくなって前記の場合より小さい液量で液体２０をノズル３から注出させる（図５参照）。
本実施の形態では、給液口６からの液体２０の給液量とノズル３からの液体２０の注出量とが適合するようにしている。
なお、上記の実施形態では円弧状の弁壁１６によって給液口６を開閉する形式を採用しているが、回動栓１２の先端部を壁で閉塞して二つ孔を穿設し、これによって給液口６を開閉するようにしても良い。この場合、孔の大きさを相違させて注出栓１への給液量を相違させるようにすることもできる。
【００１４】
なお、回動栓１２の下部には、屈曲部１４を介してノズル３用の蓋１３を設けていて、閉栓時に屈曲部１４を屈曲させることによってノズル３の下端部を閉塞できるようにしている。この蓋１３は、回動栓１２と一体に構成しているため、ノズル３を蓋１３で閉塞した状態では、回動栓１２の回動を規制するため、注出栓１が不用意に開栓されることを防止することができる。また、回動栓１２の回動と共に回動するためノズル３から外して回動栓１２を回動させると、蓋１３が９０度変移するため、液体２０の注出を邪魔することもない。
なお、蓋１３が回動栓１２と共に回動する限り屈曲部１４の構成は問わない。
【図面の簡単な説明】
【図１】支持栓に回動栓を密嵌する前の左側面図
【図２】支持栓の正面図
【図３】回動栓の背面図
【図４】大きい注出孔を給液口と連通させた状態における断面図
【図５】小さい注出孔を給液口と連通させた状態における断面図
【図１】
0004259706.tif 000002
【図２】
0004259706.tif 000003
【図３】
0004259706.tif 000004
【図４】
0004259706.tif 000005
【図５】
0004259706.tif 000006